(57)【要約】【課題】光学式ディスク装置において、簡易な構成によって、ディスク温度に基づくレーザパワーの制御とレーザ温度の監視によるレーザの保護とを同時に実現する。【解決手段】本発明に係る光学式ディスク装置は、ディスク温度センサー８と、レーザ温度センサー９と、レーザ光のパワーを制御するデジタルシグナルプロセッサー７と、何れか一方の温度センサーの出力を選択的にデジタルシグナルプロセッサー７へ供給する切替えスイッチ１０とを具えている。デジタルシグナルプロセッサー７は、センサー出力に基づいて、ディスク温度が基準温度よりも低い低温状態であるか、基準温度よりも高い高温状態であるかを判定し、低温状態では、切替えスイッチ１０をディスク温度センサー８側に切り替える一方、高温状態では、切替えスイッチ１０をレーザ温度センサー９側に切り替える。【選択図】　　　図１
2004055044.tif 000002
【特許請求の範囲】
【請求項１】
ディスクに光学ヘッドからレーザ光を照射して、該ディスクに信号を記録し、若しくは該ディスクから信号を再生する光学式ディスク装置において、ディスクに対向して設置された第１温度センサーと、光学ヘッドに取り付けられた第２温度センサーと、レーザ光のパワーを制御する制御回路と、第１温度センサーの出力と第２温度センサーの出力の内、何れか一方の出力を選択的に前記制御回路へ供給する切替えスイッチとを具え、前記制御回路は、
何れか一方の温度センサーの出力に基づいて、ディスク又は光学ヘッドの温度が基準温度よりも低い低温状態であるか、基準温度よりも高い高温状態であるかを判定する温度状態判定手段と、
低温状態では、切替えスイッチを第１温度センサー側に切り替える一方、高温状態では、切替えスイッチを第２温度センサー側に切り替える切替え制御手段と、
低温状態及び高温状態にて、何れか一方の温度センサーの出力に基づいて、レーザパワーを最適化するレーザパワー最適化手段と、
高温状態にて、第２温度センサーの出力に基づいて、光学ヘッドの温度が危険温度を越えたかどうかを判断し、光学ヘッドの温度が危険温度を越えている期間はレーザ光の照射を停止するレーザ停止手段
とを具えていることを特徴とする光学式ディスク装置。
【請求項２】
レーザパワー最適化手段は、低温状態では第１温度センサーの出力に基づいてディスクの温度を検知し、該検知温度に基づいてレーザパワーを最適化し、高温状態では第２温度センサーの出力に基づいてディスクの温度を推定し、該推定温度に基づいてレーザパワーを最適化する請求項１に記載の光学式ディスク装置。
【請求項３】
レーザパワー最適化手段は、第１温度センサーの出力をディスクの温度に変換するための第１温度変換テーブルと、第２温度センサーの出力を光学ヘッドの温度に変換する第２温度変換テーブルと、両温度変換テーブルを切り替えるテーブル切替え手段とを具えている請求項２に記載の光学式ディスク装置。
【請求項４】
ディスクに光学ヘッドからレーザ光を照射して、該ディスクに信号を記録し、若しくは該ディスクから信号を再生する光学式ディスク装置において、ディスクに対向して設置された第１温度センサーと、光学ヘッドに取り付けられた第２温度センサーと、レーザ光のパワーを制御する制御回路と、第２温度センサーの出力を所定の基準値と比較するコンパレータとを具え、前記制御回路は、
第１温度センサーの出力に基づいて、レーザパワーを最適化するレーザパワー最適化手段と、
コンパレータの出力に基づいて、光学ヘッドの温度が危険温度を越えたかどうかを判断し、光学ヘッドの温度が危険温度を越えている期間はレーザ光の照射を停止するレーザ停止手段
とを具えていることを特徴とする光学式ディスク装置。
【請求項５】
制御回路は更に、第１温度センサーの出力に基づいて、光学ヘッドの温度を推定する温度推定手段を具え、レーザ停止手段は、光学ヘッドの推定温度が所定温度を下回ったとき、レーザ光の照射を再開する請求項４に記載の光学式ディスク装置。
【請求項６】
ディスクに光学ヘッドからレーザ光を照射して、該ディスクに信号を記録し、若しくは該ディスクから信号を再生する光学式ディスク装置において、光学ヘッドに取り付けられた温度センサーと、レーザ光のパワーを制御する制御回路とを具え、前記温度センサーは、感度帯切替え信号の供給を受けて、低温領域で高感度を有する低温動作モードと、高温領域で高感度を有する高温動作モードの切り換えが可能であって、前記制御回路は、
温度センサーの出力に基づいて、光学ヘッドの温度が基準温度よりも低い低温状態であるか、基準温度よりも高い高温状態であるかを判定する温度状態判定手段と、
低温状態では、温度センサーを低温動作モードに切り替える一方、高温状態では、温度センサーを高温動作モードに切り替える切替え制御手段と、
低温状態及び高温状態にて、温度センサーの出力に基づいて、レーザパワーを最適化するレーザパワー最適化手段と、
高温状態にて、温度センサーの出力に基づいて、光学ヘッドの温度が危険温度を越えたかどうかを判断し、光学ヘッドの温度が危険温度を越えている期間はレーザ光の照射を停止するレーザ停止手段
とを具えていることを特徴とする光学式ディスク装置。
【請求項７】
レーザパワー最適化手段は、温度センサーの出力に基づいてディスクの温度を推定し、該推定温度に基づいてレーザパワーを最適化する請求項６に記載の光学式ディスク装置。
【請求項８】
レーザパワー最適化手段は、低温動作モードでの温度センサーの出力を光学ヘッドの温度に変換するための第１温度変換テーブルと、高温動作モードでの温度センサーの出力を光学ヘッドの温度に変換する第２温度変換テーブルと、両温度変換テーブルを切り替えるテーブル切替え手段とを具えている請求項７に記載の光学式ディスク装置。
【請求項９】
光学ヘッドに取り付けられた温度センサーは、サーミスタと固定抵抗を互いに直列に連結して構成され、サーミスタ側の端点には第１電源が接続されると共に、固定抵抗側の端点には第２電源が接続され、サーミスタと固定抵抗の連結点からセンサー出力が取り出される請求項１乃至請求項８の何れかに記載の光学式ディスク装置。
【発明の詳細な説明】
【０００１】
【発明の属する技術分野】
本発明は、記録媒体となるディスクに光学ヘッドからレーザ光を照射して、該ディスクに信号を記録し、若しくは該ディスクから信号を再生する光学式ディスク装置に関するものである。
【０００２】
【従来の技術】
光磁気ディスクを記録媒体とするレーザパルス磁界変調型の光学式ディスク装置においては、図１２に示す如く、スピンドルモータ（２）によって回転駆動される光磁気ディスク（１）を挟んで上下に、磁気ヘッド（３）と光学ヘッド（５）が配備され、磁気ヘッド（３）には磁気ヘッド駆動回路（４）が接続され、光学ヘッド（５）にはレーザ駆動回路（６）が接続されている。
磁気ヘッド駆動回路（４）及びレーザ駆動回路（６）にはデジタルシグナルプロセッサー（１７）が接続され、該デジタルシグナルプロセッサー（１７）によって信号の記録／再生動作が制御されている。又、光学ヘッド（５）の出力信号がデジタルシグナルプロセッサー（１７）へ供給されて、増幅、再生信号の検出、エラー訂正などの処理が施された後、再生データとして後段回路へ出力される。
【０００３】
信号の再生時には、光学ヘッド（５）に内蔵された半導体レーザ（図示省略）から光磁気ディスク（１）にレーザ光が照射され、その反射光が光学ヘッド（５）にて検知されることにより、記録データが読み出される。又、信号記録時には、光学ヘッド（５）の半導体レーザから光磁気ディスク（１）にレーザ光が照射されて、光磁気ディスク（１）が局所的に加熱されると同時に、該加熱部に磁気ヘッド（３）から磁界が印加されて、記録データの書き込みが行なわれる。
この様な光学式ディスク装置においては、信号記録時のレーザ光のパワー（記録レーザパワー）と信号再生時のレーザ光のパワー（再生レーザパワー）にはそれぞれ最適値が存在し、レーザパワーが最適値からずれると、再生信号のビットエラーレートが増大し、ビットエラーレートが一定の規定値を越えると、正常な記録／再生動作が困難となる。
【０００４】
そこで、システムの起動時に、光磁気ディスクに予め設けられているテストトラックを対象として、再生レーザパワーを徐々に変えながら信号を再生すると共にエラーレートを算出し、或いは、記録レーザパワーを徐々に変えながら信号を記録すると共にその再生信号のエラーレートを算出し、エラーレートが最小となる最適な再生レーザパワー及び記録レーザパワーを検索する方法が提案されている。
又、信号の記録時及び再生時には、レーザ光の照射によって光磁気ディスクの温度が徐々に上昇し、これに伴って最適レーザパワーが変化することになるので、図１２に示す如く光磁気ディスク（１）に対向させて温度センサー（１６）を設置し、該温度センサー（１６）によってディスクの温度を監視し、所定の温度変化が発生する度にレーザパワーの最適化を実行する方式が提案されている（特開平７−１８２７２１号［Ｇ１１Ｂ１１／１０］参照）。
【０００５】
尚、温度センサー（１６）は、例えば図１３に示す如く、サーミスタと固定抵抗を互いに直列に連結して構成され、サーミスタ側の端点には２．６Ｖの電源が接続されると共に、固定抵抗側の端点は設置され、サーミスタと固定抵抗の連結点からセンサー出力Ｖｏｕｔが取り出される。
【０００６】
【発明が解決しようとする課題】
ところで、光学ヘッド（５）に内蔵されている半導体レーザは、使用温度範囲が例えば−１０℃〜＋７０℃に設定されており、この温度範囲を越える高温で半導体レーザを使用すると、寿命の短縮や破損を招くことになる。
そこで、光学ヘッドに温度センサーを取り付けて、半導体レーザの温度（レーザ温度）を監視し、該温度が限界値を越えたとき、レーザ光の照射を停止して、スリープモードを設定する方法が考えられる。
しかしながら、レーザ温度センサーの設置によって、デジタルシグナルプロセッサーに、該センサー出力を処理するための入力ポート、Ａ／Ｄ変換回路並びに制御回路を追加装備しなければならないため、デジタルシグナルプロセッサーの構成が複雑となる問題が生じる。
【０００７】
又、従来の温度センサー（１６）においては、図１４に示す如く温度と出力電圧の関係が非線形であり、然も６０℃〜８０℃の高温範囲における分解能が８．６５ｍＶ／℃と低いため、該温度センサー（１６）を光学ヘッドに取り付けたとしても、十分な精度でレーザ温度を監視することが出来ず、場合によってレーザの破損を招くことになる。
これに対し、サーミスタを内蔵した専用ＩＣを設置して、図１５の如き線形の出力特性を有して６０℃〜８０℃の高温範囲における分解能が１０ｍＶ／℃の温度測定装置を構成し、該温度測定装置を光学ヘッドに取り付けて、レーザ温度を高精度に測定することも可能であるが、この様な温度測定装置は高価であるため、ディスク装置のコストアップを招く問題がある。
【０００８】
本発明の目的は、光学式ディスク装置において、簡易な構成によって、ディスク温度に基づくレーザパワーの制御とレーザ温度の監視によるレーザの保護とを同時に実現することである。
【０００９】
【課題を解決する為の手段】
本発明に係る光学式ディスク装置は、ディスクに対向して設置された第１温度センサーと、光学ヘッドに取り付けられた第２温度センサーと、レーザ光のパワーを制御する制御回路と、第１温度センサーの出力と第２温度センサーの出力の内、何れか一方の出力を選択的に前記制御回路へ供給する切替えスイッチとを具えている。
前記制御回路は、
何れか一方の温度センサーの出力に基づいて、ディスク又は光学ヘッドの温度が基準温度よりも低い低温状態であるか、基準温度よりも高い高温状態であるかを判定する温度状態判定手段と、
低温状態では、切替えスイッチを第１温度センサー側に切り替える一方、高温状態では、切替えスイッチを第２温度センサー側に切り替える切替え制御手段と、
低温状態及び高温状態にて、何れか一方の温度センサーの出力に基づいて、レーザパワーを最適化するレーザパワー最適化手段と、
高温状態にて、第２温度センサーの出力に基づいて、光学ヘッドの温度が危険温度を越えたかどうかを判断し、光学ヘッドの温度が危険温度を越えている期間はレーザ光の照射を停止するレーザ停止手段
とを具えている。
【００１０】
上記本発明の光学式ディスク装置においては、電源投入によって光学ヘッドからディスクにレーザ光が出射され、記録／再生が可能な状態となるが、時間の経過に伴ってディスク及び光学ヘッドの温度が上昇することになる。低温状態では、切替えスイッチが第１温度センサー側に切り替えられており、第１温度センサーによってディスク温度が測定され、その測定値に基づいてレーザパワーが最適化される。
その後、光学ヘッドの温度が上昇して、高温状態に達すると、切替えスイッチが第２温度センサー側に切り替えられて、第２温度センサーによって光学ヘッドの温度が測定される。そして、光学ヘッドの温度はディスクの温度と相関があることを前提として、第２温度センサーの出力に基づいてレーザパワーが最適化される。
そして、更に光学ヘッドの温度が上昇して、レーザ損傷の虞がある危険温度を越えると、レーザ光の照射が停止されて、レーザの保護が図られる。
【００１１】
上記本発明の光学式ディスク装置においては、第１温度センサーと第２温度センサーの内、何れか一方を選択的に制御回路に接続する構成を採っているので、制御回路は、センサー出力を処理すべきＡＤ変換回路等の処理回路をセンサー毎に個別に具える必要が無い。この結果、両センサーを同時に制御回路に接続した場合に比べて、制御回路の構成が簡易となる。
【００１２】
具体的構成において、レーザパワー最適化手段は、低温状態では第１温度センサーの出力に基づいてディスクの温度を検知し、該検知温度に基づいてレーザパワーを最適化し、高温状態では第２温度センサーの出力に基づいてディスクの温度を推定し、該推定温度に基づいてレーザパワーを最適化する。
該具体的構成によれば、低温状態のみならず高温状態でも、ディスク温度に基づくレーザパワーの最適化が実行される。
【００１３】
又、具体的構成において、レーザパワー最適化手段は、第１温度センサーの出力をディスクの温度に変換するための第１温度変換テーブルと、第２温度センサーの出力を光学ヘッドの温度に変換する第２温度変換テーブルと、両温度変換テーブルを切り替えるテーブル切替え手段とを具えている。
該具体的構成においては、低温状態では第１温度変換テーブルによってディスクの温度が導出され、高温状態では第２温度変換テーブルによって光学ヘッドの温度が導出される。
【００１４】
本発明に係る他の光学式ディスク装置は、ディスクに対向して設置された第１温度センサーと、光学ヘッドに取り付けられた第２温度センサーと、レーザ光のパワーを制御する制御回路と、第２温度センサーの出力を所定の基準値と比較するコンパレータとを具えている。
前記制御回路は、
第１温度センサーの出力に基づいて、レーザパワーを最適化するレーザパワー最適化手段と、
コンパレータの出力に基づいて、光学ヘッドの温度が危険温度を越えたかどうかを判断し、光学ヘッドの温度が危険温度を越えている期間はレーザ光の照射を停止するレーザ停止手段
とを具えている。
【００１５】
上記本発明の光学式ディスク装置では、低温状態及び高温状態の何れにおいても、第１温度センサーの出力に基づいてレーザパワーが最適化されつつ、記録／再生が行なわれる一方、第２温度センサーの出力がコンパレータにより常時監視されて、光学ヘッドの温度が危険温度を越えたとき、レーザ光の照射が停止され、光学ヘッドの保護が図られる。
ここで、制御回路は、コンパレータの出力（ハイ又はロー）を監視すればよく、第２温度センサーの出力を処理するためのＡＤ変換回路等の装備は不要である。
【００１６】
具体的構成において、制御回路は更に、第１温度センサーの出力に基づいて、光学ヘッドの温度を推定する温度推定手段を具え、レーザ停止手段は、光学ヘッドの推定温度が所定温度を下回ったとき、レーザ光の照射を再開する。
これによって、制御回路は、第２温度センサーの出力を用いることなく、第１温度センサーの出力に基づいて、光学ヘッドの温度が正常温度まで低下した時点を検知し、レーザ光の照射を再開することが出来る。
【００１７】
又、本発明に係る他の光学式ディスク装置は、光学ヘッドに取り付けられた温度センサーと、レーザ光のパワーを制御する制御回路とを具え、前記温度センサーは、感度帯切替え信号の供給を受けて、低温領域で高感度を有する低温動作モードと、高温領域で高感度を有する高温動作モードの切り換えが可能である。
前記制御回路は、
温度センサーの出力に基づいて、光学ヘッドの温度が基準温度よりも低い低温状態であるか、基準温度よりも高い高温状態であるかを判定する温度状態判定手段と、
低温状態では、温度センサーを低温動作モードに切り替える一方、高温状態では、温度センサーを高温動作モードに切り替える切替え制御手段と、
低温状態及び高温状態にて、温度センサーの出力に基づいて、レーザパワーを最適化するレーザパワー最適化手段と、
高温状態にて、温度センサーの出力に基づいて、光学ヘッドの温度が危険温度を越えたかどうかを判断し、光学ヘッドの温度が危険温度を越えている期間はレーザ光の照射を停止するレーザ停止手段
とを具えている。
【００１８】
上記本発明の光学式ディスク装置においては、低温状態では、温度センサーの動作モードが低温動作モードに切り替えられており、温度センサーによってディスク温度が測定され、その測定値に基づいてレーザパワーが最適化される。
その後、光学ヘッドの温度が上昇して、高温状態に達すると、温度センサーの動作モードが高温動作モードに切り替えられて、温度センサーによって光学ヘッドの温度が測定される。そして、光学ヘッドの温度はディスクの温度と相関があることを前提として、温度センサーの出力に基づいてレーザパワーが最適化される。
更に光学ヘッドの温度が上昇して、レーザ損傷の虞がある危険温度を越えると、レーザ光の照射が停止されて、レーザの保護が図られる。
【００１９】
上記本発明の光学式ディスク装置においては、単一の温度センサーを制御回路に接続して、温度センサー側で感度帯域を切り替える構成を採っているので、制御回路は、該温度センサーについて単一の処理回路を具えればよい。この結果、２つのセンサーを同時に制御回路に接続した場合に比べて、制御回路の構成が簡易となる。
【００２０】
具体的構成において、レーザパワー最適化手段は、温度センサーの出力に基づいてディスクの温度を推定し、該推定温度に基づいてレーザパワーを最適化する。
該具体的構成によれば、低温状態及び高温状態の何れにおいてもディスク温度に基づくレーザパワーの最適化が実行される。
【００２１】
更に具体的な構成において、レーザパワー最適化手段は、低温動作モードでの温度センサーの出力を光学ヘッドの温度に変換するための第１温度変換テーブルと、高温動作モードでの温度センサーの出力を光学ヘッドの温度に変換する第２温度変換テーブルと、両温度変換テーブルを切り替えるテーブル切替え手段とを具えている。
該具体的構成においては、低温状態では第１温度変換テーブルによって光学ヘッドの温度が導出され、高温状態では第２温度変換テーブルによって光学ヘッドの温度が導出される。
【００２２】
尚、光学ヘッドに取り付けられた温度センサーは、サーミスタと固定抵抗を互いに直列に連結して構成され、レーザ取付け部に設置されて、サーミスタ側の端点には第１電源が接続されると共に、固定抵抗側の端点には第２電源が接続され、サーミスタと固定抵抗の連結点からセンサー出力が取り出される。
該センサー出力においては、温度と出力電圧の関係が概ね線形となり、然も高い分解能を得ることが出来る。
【００２３】
【発明の効果】
本発明に係る光学式ディスク装置によれば、簡易な構成の制御回路によって、ディスク温度に基づくレーザパワーの制御とレーザ温度の監視によるレーザの保護とを同時に実現することが出来る。
【００２４】
【発明の実施の形態】
以下、本発明をレーザパルス磁界変調型の光学式ディスク装置に実施した形態につき、図面に沿って具体的に説明する。
【００２５】
第１実施例
　本実施例の光学式ディスク装置においては、図１に示す如く、スピンドルモータ（２）によって回転駆動される光磁気ディスク（１）を挟んで上下に、磁気ヘッド（３）と光学ヘッド（５）が配備され、磁気ヘッド（３）には磁気ヘッド駆動回路（４）が接続され、光学ヘッド（５）にはレーザ駆動回路（６）が接続されている。
磁気ヘッド駆動回路（４）及びレーザ駆動回路（６）にはデジタルシグナルプロセッサー（７）が接続され、該デジタルシグナルプロセッサー（７）によって信号の記録／再生動作が制御されている。又、光学ヘッド（５）の出力信号がデジタルシグナルプロセッサー（７）へ供給されて、増幅、再生信号の検出、エラー訂正などの処理が施された後、再生データとして後段回路へ出力される。
【００２６】
又、光磁気ディスク（１）に対向して、光磁気ディスク（１）の温度を測定するためのディスク温度センサー（８）が設置されると共に、光学ヘッド（５）には、内蔵されているレーザの温度を測定するためのレーザ温度センサー（９）が取り付けられている。
ディスク温度センサー（８）の出力端とレーザ温度センサー（９）の出力端は、切替えスイッチ（１０）の２つの入力端子にそれぞれ接続され、該切替えスイッチ（１０）の出力端子は、デジタルシグナルプロセッサー（７）に接続されている。該切替えスイッチ（１０）は、デジタルシグナルプロセッサー（７）の制御出力ポート（１１）から出力される切替え制御信号によって、切り替えが制御されている。
【００２７】
ディスク温度センサー（８）としては、サーミスタ内蔵の専用ＩＣによって図１５の如き線形の出力特性を実現した温度測定装置が採用されている。
これに対し、レーザ温度センサー（９）は、図２に示す如く、１０ｋΩのサーミスタと１．８ｋΩの固定抵抗を互いに直列に連結して構成され、サーミスタ側の端点には＋６Ｖの電源が接続されると共に、固定抵抗側の端点には−２Ｖの電源が接続され、サーミスタと固定抵抗の連結点から出力電圧Ｖｏｕｔが取り出される。該レーザ温度センサー（９）においては、図３に示す如く５０℃〜８５℃の温度範囲で温度と出力電圧の関係（出力特性）が線形であり、然も６０℃〜８０℃の範囲で５７．６５ｍＶ／℃という高い分解能が得られる。この出力特性は、図１４に示す出力特性や図１５に示す出力特性よりも優れたものとなる。
【００２８】
尚、デジタルシグナルプロセッサー（７）には、図１５に示す出力特性に基づいてディスク温度センサーの出力電圧を温度に変換するためのテーブルと、図３に示す出力特性に基づいてレーザ温度センサーの出力電圧を温度に変換するためのテーブルとが、予め登録されている。
デジタルシグナルプロセッサー（７）は、使用中のセンサーが何れであるかに応じて、両テーブルを切り替え、センサー出力電圧を温度に変換する。
【００２９】
上記光学式ディスク装置においては、ディスク温度が所定の基準温度（例えば５０℃）を下回る低温状態では、切替えスイッチ（１０）がディスク温度センサー（８）側に切り替えられており、ディスク温度センサー（８）によってディスク温度が測定され、その測定値に基づいてレーザパワーが最適化される。
その後、ディスク温度が所定の基準温度（例えば５０℃）を上回る高温状態に達すると、切替えスイッチ（１０）がレーザ温度センサー（９）側に切り替えられて、レーザ温度センサー（９）によってレーザ温度が測定される。そして、レーザ温度とディスク温度の間には略一定の温度差（例えば１０℃）が維持されることを前提として、レーザ温度の測定値からディスク温度が推定され、該推定温度に基づいてレーザパワーが最適化される。
【００３０】
図４は、本実施例の光学式ディスク装置における記録／再生時の温度管理に関する制御手続きを表わしている。
先ずステップＳ１にて光磁気ディスクが装着されたかどうかを判断し、イエスと判断されたとき、ステップＳ２にて電源をオンとする。次にステップＳ３では、テストリード／ライトによって現在の温度での最適リードパワー及びライトパワーを決定した後、ステップＳ４にて記録／再生モードとなる。
【００３１】
続いてステップＳ５では、電源オフ操作が行なわれたかどうかを判断し、ノーと判断されたときは、ステップＳ７に移行して、ディスク温度センサーの出力に基づいてディスク温度に所定の温度変化（例えば５℃）が発生したかどうかを判断する。ここでノーと判断されたときは、ステップＳ４に戻って記録／再生モードとなり、ステップＳ５の判断を繰り返す。
その後、ディスク温度に所定の温度変化が発生してステップＳ７にてイエスと判断されたときは、ステップＳ８に移行して、ディスク温度に所定値（例えば５０℃）を越える温度上昇が発生したかどうかを判断する。
【００３２】
ステップＳ８にてノーと判断されたときは、ステップＳ９に移行して、簡易テストリード／ライトを実行して、最適なリードパワー値及びライトパワー値を求め直し、ステップＳ１０にてリードパワー及びライトパワーを最適値に変更した後、ステップＳ４に戻って記録／再生モードとなり、ステップＳ５の判断を繰り返す。
その後、何らかの原因でレーザの温度が更に上昇し、所定温度を越えると、ステップＳ８にてイエスと判断され、ステップＳ２０にて後述する温度管理切替え手続きを実行した後、ステップＳ９に移行する。
【００３３】
その後、電源オフ操作が行なわれてステップＳ５にてイエスと判断されたときは、ステップＳ６に移行して、電源オン操作が行なわれたかどうかを判断する。ここでノーと判断されたときは、ステップＳ６の判断を繰り返し、電源オン操作に待機する。その後、電源オン操作が行なわれてステップＳ６にてイエスと判断されたときは、ステップＳ２に戻って、電源をオンとした後、記録／再生モードに移行する。
【００３４】
図５は、上記ステップＳ２０の温度管理切替えの手続きを表わしている。
先ずステップＳ２１にて、切替えスイッチ（１０）をディスク温度センサー（８）側からレーザ温度センサー（９）側に切り替えるためのスイッチ切替え信号を出力する。これによって、切替えスイッチ（１０）はレーザ温度センサー（９）側に切り替えられる。その後、ステップＳ２２にて、ディスク温度センサー（８）の出力電圧を温度に変換するためのテーブルを、レーザ温度センサー（９）の出力電圧を温度に変換するためのテーブルに切り替える。
【００３５】
次にステップＳ２３では、レーザ温度センサーの出力電圧を温度に変換してレーザ温度を導出し、該レーザ温度が危険温度以上であるかどうかを判断する。ここでイエスと判断されたときは、ステップＳ２４に移行して、レーザ温度が危険温度を越えた旨の表示（高温表示）を行なうと共に、レーザ光の照射を停止してスリープモードを設定する。
続いてステップＳ２５では、レーザ温度が所定値（例えば５０℃）以下に低下したかどうかを判断し、イエスと判断されたとき、ステップＳ２６にて、高温表示を停止すると共にスリープモードを解除する。そして、ステップＳ２７では、切替えスイッチ（１０）をレーザ温度センサー（９）側からディスク温度センサー（８）側に切り替えるためのスイッチ切替え信号を出力する。これによって、切替えスイッチ（１０）はディスク温度センサー（８）側に切り替えられる。その後、ステップＳ２８にて、レーザ温度センサー（９）の出力電圧を温度に変換するためのテーブルを、ディスク温度センサー（８）の出力電圧を温度に変換するためのテーブルに切り替えて、手続きを終了する。
一方、レーザ温度が危険温度を下回っておりステップＳ２３にてノーと判断されたときは、手続きを終了する。
【００３６】
本実施例の光学式ディスク装置においては、ディスク温度センサー（８）とレーザ温度センサー（９）の内、何れか一方を選択的にデジタルシグナルプロセッサー（７）に接続する構成を採っているので、デジタルシグナルプロセッサー（７）は、センサー出力を処理すべきＡＤ変換回路等の処理回路をセンサー毎に個別に具える必要が無い。この結果、両センサーを同時にデジタルシグナルプロセッサーに接続した場合に比べて、デジタルシグナルプロセッサー（７）の構成が簡易となる。
又、レーザ温度センサー（９）は、図２の如くサーミスタと固定抵抗からなる簡易なものであり、サーミスタ内蔵の専用ＩＣ等を用いることなく高い性能を実現しているので、装置のコストアップを招くことなく、精度の高いレーザ温度管理が可能となる。
【００３７】
第２実施例
　本実施例の光学式ディスク装置においては、図６に示す如く、第１実施例と同様に、光磁気ディスク（１）に対向してディスク温度センサー（８）が設置されると共に、光学ヘッド（５）にはレーザ温度センサー（９）が取り付けられて、ディスク温度センサー（８）の出力がデジタルシグナルプロセッサー（７）へ入力されている。これに対し、レーザ温度センサー（９）の出力端は、コンパレータ（１２）の一方の入力端子に接続され、該コンパレータ（１２）の出力端子がデジタルシグナルプロセッサー（７）の制御入力ポート（１３）に接続されている。尚、コンパレータ（１２）の他方の入力端子には、光学ヘッド（５）のレーザが危険温度に達したときのレーザ温度センサー（９）の出力電圧に相当する基準電圧が入力されている。
【００３８】
該光学式ディスク装置においては、ディスク温度が低温状態及び高温状態の何れにおいても、ディスク温度センサー（８）の出力に基づいてレーザパワーが最適化されつつ、記録／再生が行なわれる。また同時に、レーザ温度センサー（９）の出力がコンパレータ（１２）により常時監視されて、レーザ温度が危険温度を越えたとき、コンパレータ（１２）の出力がローからハイ（又はハイからロー）に切り替わり、これに応じてレーザ光の照射が停止され、スリープモードが設定される。
従って、デジタルシグナルプロセッサー（７）は、コンパレータ（１２）の出力（ハイ又はロー）を監視すればよく、レーザ温度センサー（９）の出力を処理するためのＡＤ変換回路等の装備は不要である。
【００３９】
図７は、本実施例の光学式ディスク装置における記録／再生時の温度管理に関する制御手続きを表わしている。
先ずステップＳ３１にて光磁気ディスクが装着されたかどうかを判断し、イエスと判断されたとき、ステップＳ３２にて電源をオンとする。次にステップＳ３３では、テストリード／ライトによって現在の温度での最適リードパワー及びライトパワーを決定した後、ステップＳ３４にて記録／再生モードとなる。
【００４０】
続いてステップＳ３５では、電源オフ操作が行なわれたかどうかを判断し、ノーと判断されたときは、ステップＳ３７に移行して、ディスク温度センサーの出力に基づいてディスク温度に所定の温度変化（例えば５℃）が発生したかどうかを判断する。ここでノーと判断されたときは、ステップＳ３４に戻って記録／再生モードとなり、ステップＳ３５の判断を繰り返す。
その後、ディスク温度に所定の温度変化が発生してステップＳ３７にてイエスと判断されたときは、ステップＳ３８に移行して、ディスク温度に所定値（例えば５０℃）を越える温度上昇が発生したどうかを判断し、ここでイエスと判断されたときは、ステップＳ５０に移行して、後述するレーザ温度管理を実行する。
【００４１】
次に、ステップＳ３９にて簡易テストリード／ライトを実行し、最適なリードパワー値及びライトパワー値を求め直し、ステップＳ４０にてリードパワー及びライトパワーを最適値に変更した後、ステップＳ３４に戻って記録／再生モードとなり、ステップＳ３５の判断を繰り返す。
その後、電源オフ操作が行なわれてステップＳ３５にてイエスと判断されたときは、ステップＳ３６に移行して、電源オン操作が行なわれたかどうかを判断する。ここでノーと判断されたときは、ステップＳ３６の判断を繰り返し、電源オン操作に待機する。その後、電源オン操作が行なわれてステップＳ３６にてイエスと判断されたときは、ステップＳ３２に戻って、電源をオンとした後、記録／再生モードに移行する。
【００４２】
図８は、上記ステップＳ５０のレーザ温度管理の手続きを表わしている。
先ずステップＳ４１にて、コンパレータの出力がローからハイ（又はハイからロー）に切り替わったかどうかを判断し、イエスと判断されたとき、ステップＳ４２に移行して、レーザ温度が危険温度を越えた旨の表示（高温表示）を行なうと共に、レーザ光の照射を停止してスリープモードを設定する。
その後、ステップＳ４３では、レーザ温度とディスク温度の間には略一定の温度差（例えば１０℃）が維持されることを前提として、ディスク温度の測定値からレーザ温度を推定し、推定レーザ温度が所定値（例えば６０℃）以下に低下したかどうかを判断し、イエスと判断されたとき、ステップＳ４４にて、高温表示を停止すると共にスリープモードを解除し、手続きを終了する。
【００４３】
本実施例の光学式ディスク装置においては、デジタルシグナルプロセッサー（７）は、レーザ温度に関してはコンパレータ（１２）の出力（ハイ又はロー）を監視すればよく、レーザ温度センサー（９）の出力を処理するためのＡＤ変換回路等の装備は不要であるので、回路規模の縮小、コストダウンに有効である。
【００４４】
第３実施例
　本実施例の光学式ディスク装置においては、図９に示す如く、光学ヘッド（５）にはレーザ温度センサー（１４）が取り付けられ、その出力がデジタルシグナルプロセッサー（７）へ供給されているが、光磁気ディスク（１）の温度を測定するためのディスク温度センサーは省略されている。
レーザ温度センサー（１４）は、図１０に示す如く、１０ｋΩのサーミスタと１．８ｋΩの固定抵抗を互いに直列に連結して構成され、サーミスタ側の端点には＋６Ｖの電源が接続されると共に、固定抵抗側の端点には切替えスイッチ（１５）が接続され、該切替えスイッチ（１５）の一方の入力端子には＋０．５Ｖの電源、他方の入力端子には−２Ｖの電源が接続され、サーミスタと固定抵抗の連結点から出力電圧Ｖｏｕｔが取り出される。該切替えスイッチ（１５）を切り替えるためのスイッチ切替え信号は、図９の如くデジタルシグナルプロセッサー（７）の制御出力ポート（１１）から供給される。
【００４５】
切替えスイッチ（１５）を０．５Ｖ側に切り替えると、図１１に示す出力特性Ａが実現され、切替えスイッチ（１５）を−２Ｖ側に切り替えると、図１１に示す出力特性Ｂが実現されることになる。出力特性Ａにおいては、−２０℃〜５０℃の主に低温範囲で感度が得られる。一方、出力特性Ｂにおいては、５０℃〜８０℃の高温範囲で感度が得られ、出力特性は線形であり、然も５７．６５ｍＶ／℃という高い分解能が得られる。
【００４６】
尚、デジタルシグナルプロセッサー（７）には、図１１に示す出力特性Ａに基づいてレーザ温度センサーの出力電圧を温度に変換するためのテーブルと、出力特性Ｂに基づいてレーザ温度センサーの出力電圧を温度に変換するためのテーブルとが、予め登録されている。
デジタルシグナルプロセッサー（７）は、レーザ温度が高温状態又は低温状態の何れであるかに応じて、両テーブルを切り替え、センサー出力を温度に変換する。
【００４７】
上記光学式ディスク装置においては、レーザ温度が所定の基準温度（例えば５０℃）を下回る低温状態では、切替えスイッチ（１５）が０．５Ｖ側に切り替えられており、レーザ温度センサー（１４）によってレーザ温度が測定され、その測定値に基づいてディスク温度が推定され、推定ディスク温度に基づいてレーザパワーが最適化される。
その後、出力特性Ａにおける温度が５０℃に達すると、切替えスイッチ（１５）が−２Ｖ側に切り替えられて出力特性Ｂが設定され、レーザ温度センサー（１４）によってレーザ温度が測定され、その測定値に基づいてディスク温度が推定され、推定温度に基づいてレーザパワーが最適化される。
【００４８】
本実施例の光学式ディスク装置における記録／再生時の温度管理に関する制御手続きは、図４に示す第１実施例の手続きと基本的に同じであるが、ステップＳ８では、切替えスイッチ（１５）を０．５Ｖ側に切り替えた状態で、レーザ温度センサー（１４）の出力に基づいてレーザ温度に所定の基準温度（例えば５０℃）を越える温度上昇が発生したかどうかを判断する。又、レーザ温度センサー（１４）によって測定されたレーザ温度からディスク温度を推定し、該推定ディスク温度に基づいてレーザパワーの最適化が実行される。
その後、レーザ温度に所定値（例えば５０℃）を越える温度上昇が発生してステップＳ８にてイエスと判断されたときは、ステップＳ２０に移行して、レーザ温度がレーザ損傷の虞がある危険温度（例えば７０℃）以上であるかどうかを判断する。
【００４９】
何らかの原因でレーザ温度が危険温度を越えた場合は、ステップＳ２０の温度管理切替え手続きが実行される。該手続きも図５に示す第１実施例の手続きと基本的に同じであるが、ステップＳ２１では、切替えスイッチ（１５）を０．５Ｖ側から−２Ｖ側に切り替えるためのスイッチ切替え信号を出力する。その後、ステップＳ２２では、出力特性Ａに基づくテーブルを出力特性Ｂに基づくテーブルに切り替える。
又、ステップＳ２７では、切替えスイッチ（１５）を−２Ｖ側から０．５Ｖ側に切り替えるためのスイッチ切替え信号を出力する。その後、ステップＳ２８では、出力特性Ｂに基づくテーブルを、出力特性Ａに基づくテーブルに切り替えて、手続きを終了する。
【００５０】
本実施例の光学式ディスク装置においては、レーザ温度センサー（１４）の出力信号のみをデジタルシグナルプロセッサー（７）に供給し、レーザ温度センサー（１４）側で感度帯域を切り替える構成を採っているので、デジタルシグナルプロセッサー（７）は、レーザ温度センサー（１４）についての単一の処理回路を具えればよい。この結果、２つのセンサーを同時にデジタルシグナルプロセッサーに接続した場合に比べて、デジタルシグナルプロセッサー（７）の構成が簡易となる。
【００５１】
又、レーザ温度センサー（１４）は、図１０の如くサーミスタ及び固定抵抗からなるセンサー部に切替えスイッチを接続した簡易な構成を有し、切替えスイッチの切り替えによって、広い感度帯域と高い分解能の両方を実現しているので、装置のコストアップを招くことなく、精度の高い温度管理が可能となる。
【図面の簡単な説明】
【図１】第１実施例の光学式ディスク装置の構成を示すブロック図である。
【図２】該光学式ディスク装置に装備されているレーザ温度センサーの具体的な構成を示す図である。
【図３】該レーザ温度センサーの出力特性を表わすグラフである。
【図４】該光学式ディスク装置における温度管理制御手続きを表わすフローチャートである。
【図５】温度管理切替え手続きを表わすフローチャートである。
【図６】第２実施例の光学式ディスク装置の構成を示すブロック図である。
【図７】該光学式ディスク装置における温度管理制御手続きを表わすフローチャートである。
【図８】レーザ温度管理手続きを表わすフローチャートである。
【図９】第３実施例の光学式ディスク装置の構成を示すブロック図である。
【図１０】該光学式ディスク装置に装備されているレーザ温度センサーの具体的な構成を示す図である。
【図１１】該レーザ温度センサーの出力特性を示す図である。
【図１２】従来の光学式ディスク装置の構成を示すブロック図である。
【図１３】該光学式ディスク装置に装備されている温度センサーの具体的な構成を示す図である。
【図１４】該温度センサーの出力特性を示す図である。
【図１５】サーミスタ内蔵専用ＩＣの出力特性を示す図である。
【符号の説明】
（１）　光磁気ディスク
（３）　磁気ヘッド
（５）　光学ヘッド
（７）　デジタルシグナルプロセッサー
（８）　ディスク温度センサー
（９）　レーザ温度センサー
（１０）　切替えスイッチ
（１１）　制御出力ポート
（１２）　コンパレータ
（１３）　制御入力ポート
（１４）　レーザ温度センサー
（１５）　切替えスイッチ
【図１】
2004055044.tif 000003
【図２】
2004055044.tif 000004
【図３】
2004055044.tif 000005
【図４】
2004055044.tif 000006
【図５】
2004055044.tif 000007
【図６】
2004055044.tif 000008
【図７】
2004055044.tif 000009
【図８】
2004055044.tif 000010
【図９】
2004055044.tif 000011
【図１０】
2004055044.tif 000012
【図１１】
2004055044.tif 000013
【図１２】
2004055044.tif 000014
【図１３】
2004055044.tif 000015
【図１４】
2004055044.tif 000016
【図１５】
2004055044.tif 000017